(57)【要約】【課題】乗りかごの内部に設置した椅子が本来の目的である着座の他に、トイレとしても使用でき、さらには非常用品の収納部として利用できる便利なエレベータ用椅子兼非常トイレを提供する。【解決手段】エレベータの乗りかご１９の内部に設置される椅子兼非常トイレであって、乗りかご１９のコーナ部に設置され、内部に空間部１２を有する椅子本体１１と、椅子本体１１の上面に設けられ、空間部１２と連通する開口部１３ａを有し、非常トイレとして使用する際の着座部となる天板１３と、椅子本体１１の天板１３に開口部１３ａを閉塞するように載置され、椅子として使用する際の着座部となる蓋体１４と、椅子本体１１の空間部１２に収納された非常用品１７とを具備したことを特徴とする。【選択図】図２
0003126616.tif 000002
【実用新案登録請求の範囲】
【請求項１】
エレベータの乗りかごの内部に設置される椅子兼非常トイレであって、
前記乗りかごのコーナ部に設置され、内部に空間部を有する椅子本体と、
前記椅子本体の上面に設けられ、前記空間部と連通する開口部を有し、非常トイレとして使用する際の着座部となる天板と、
前記椅子本体の天板に前記開口部を閉塞するように載置され、椅子として使用する際の着座部となる蓋体と、
前記椅子本体の空間部に収納された非常用品と、
を具備したことを特徴とするエレベータ用椅子兼非常トイレ。
【請求項２】
前記椅子本体は、前記乗りかごのコーナ部の内壁に沿う略直角な２側面を有する三角筒形状であることを特徴とする請求項１記載のエレベータ用椅子兼非常トイレ。
【請求項３】
前記非常用品は、飲料水、非常食、紙コップ、ビニール袋、トイレットペーパ、ウエットテッシュ、消臭スプレー、医薬品、紐、携帯酸素ボンベ、カーテン等であることを特徴とする請求項１記載のエレベータ用椅子兼非常トイレ。
【考案の詳細な説明】
【技術分野】
【０００１】
この考案は、例えば、地震発生時や制御機能故障等によってエレベータが停止し、乗員が乗りかごに閉じ込められた際に利用できるエレベータ用椅子兼非常トイレに関する。
【背景技術】
【０００２】
エレベータは、地震が発生した時、一定の震度を超えると非常停止し、最寄の階で非常停止して扉が開くように設定されている。また、エレベータの制御機能が故障して非常停止した場合でも非常灯が点灯して乗りかごの内部を照明するとともに、乗りかごの内部と外部の管理センターと電話で交信できるようになっている。
【０００３】
しかし、乗りかごの扉が開かずに乗りかごの内部に乗員が長時間閉じ込められた場合、トイレに行きたくなっても行けないし、水分を取ることもできず、急病人も発生しかねない恐怖感を感じる。特に、高齢者や妊婦の人は、立ったまま長時間待機することは極めて苦痛である。
【０００４】
エレベータの乗りかごの内部に、椅子を設置し、高齢者や妊婦の人が椅子に着座したまま昇降できる椅子付きエレベータは、例えば、特許文献１で知られている。また、椅子を乗りかごの隅部に設置し、高齢者や妊婦の人が椅子に着座したまま昇降できるようにしたものも知られている。
【特許文献１】特開２００１−２０６６６０号公報
【考案の開示】
【考案が解決しようとする課題】
【０００５】
しかし、特許文献１は、エレベータの乗りかごの内部に、椅子を設置し、高齢者や妊婦の人が椅子に着座したまま昇降できるようにしたものであり、椅子以外に利用する機能はない。したがって、エレベータの制御機能が故障して非常停止し、エレベータの乗りかごの扉が開かずに乗りかごの内部に乗員が長時間閉じ込められる事態が発生すると、トイレに行きたくなっても、また、水分を補給しようとしてもできず、恐怖感を持ち続けることになる。
【０００６】
この考案は、前記事情に着目してなされたもので、その目的とするところは、乗りかごの内部に設置した椅子が本来の目的である着座の他に、トイレとしても使用でき、さらには非常用品の収納部として利用できる便利なエレベータ用椅子兼非常トイレを提供する。
【課題を解決するための手段】
【０００７】
この考案は前記目的を達成するために、請求項１は、エレベータの乗りかごの内部に設置される椅子兼非常トイレであって、前記乗りかごのコーナ部に設置され、内部に空間部を有する椅子本体と、前記椅子本体の上面に設けられ、前記空間部と連通する開口部を有し、非常トイレとして使用する際の着座部となる天板と、前記椅子本体の天板に前記開口部を閉塞するように載置され、椅子として使用する際の着座部となる蓋体と、前記椅子本体の空間部に収納された非常用品とを具備したことを特徴とする。
【０００８】
請求項２は、請求項１の前記椅子本体は、前記乗りかごのコーナ部の内壁に沿う略直角な２側面を有する三角筒形状であることを特徴とする。
【０００９】
請求項３は、請求項１の前記非常用品は、飲料水、非常食、紙コップ、ビニール袋、トイレットペーパ、ウエットテッシュ、消臭スプレー、医薬品、紐、携帯酸素ボンベ、カーテン等であることを特徴とする。
【考案の効果】
【００１０】
この考案によれば、エレベータの乗りかごの内部で、高齢者や妊婦の人が着座でき、また地震が発生した時や制御機能が故障して非常停止し、乗りかごの内部に乗員が長時間閉じ込められる事態が発生した場合、椅子をトイレとしても利用でき、また椅子の内部に収納された非常用品（飲料水、非常食、紙コップ、ビニール袋、トイレットペーパ、ウエットテッシュ、消臭スプレー、医薬品、紐、携帯酸素ボンベ、カーテン等）を必要に応じて利用できるという効果がある。
【考案を実施するための最良の形態】
【００１１】
以下、この考案の実施の形態を図面に従い具体的に説明する。
【００１２】
図１はエレベータ用椅子兼非常トイレを示し、（ａ）は椅子として使用する場合の斜視図、（ｂ）はトイレとして使用する場合の斜視図、図２（ａ）は椅子として使用する場合の縦断側面図、（ｂ）はトイレとして使用する場合の縦断正面図、図３はエレベータの乗りかごの内部に設置した状態の斜視図である。
【００１３】
図１及び図２に示すように、エレベータの乗りかごのコーナ部に設置される椅子本体１１は、木製またはプラスチック製であり、乗りかごのコーナ部の内壁に沿う略直角な２側面１１ａを有する三角筒形状で、内部に空間部１２が設けられている。椅子本体１１の上部開口は着脱可能な天板１３によって閉塞され、この天板１３のほぼ中央部には空間部１２と連通する楕円形の開口部１３ａが設けられている。
【００１４】
椅子本体１１の天板１３の上面には開口部１３ａを閉塞するように載置され、椅子として使用する際の着座部となる蓋体１４が載置されている。この蓋体１４の着座部の高さは、床面から４２０ｍｍ前後に設計されている。さらに、図２（ａ）に示すように、天板１３の下面にはトイレとして使用する際にビニール袋１５を装着できるように断面がＬ字形の支持部１６が設けられている。
【００１５】
椅子本体１１の空間部１２の内部には非常用品１７を収納する収納袋１８が収納され、天板１３を取り外すことにより、非常用品１７が収納された収納袋１８を椅子本体１１から取り出すことができるようになっている。そして、トイレとして使用する際に、図２（ｂ）に示すように、ビニール袋１５の開口部を支持部１６にゴム紐１６ａ等で装着し、ビニール袋１５を汚物入れとして使用できるようになっている。
【００１６】
非常用品１７としては、例えば、前記ビニール袋１５、ペットボトル入り飲料水１９、非常食２０、紙コップ２１、トイレットペーパ２２、消臭スプレー２３、医薬品２４、紐２５、携帯酸素ボンベ２６、カーテン２７等であり、カーテン２７は、磁石あるいは吸盤付であり、乗りかごの内壁にカーテン２７を磁石あるいは吸盤によって固定して吊り下げることにより、トイレとして利用する際に覆うことができるようになっている。
【００１７】
このように構成されたエレベータ用椅子兼非常トイレは、図３に示すように、乗りかご２８のコーナ部２９に設置することにより、場所を取らず、高齢者や妊婦の人は、蓋体１４を着座部として着座できる。
【００１８】
また、地震が発生した時や制御機能が故障して非常停止し、乗りかごの内部に乗員が長時間閉じ込められる事態が発生した場合、蓋体１４を取り外すことにより、天板１３を便座としてトイレとしても利用できる。この場合、汚物はビニール袋１５に収納し、また、トイレットペーパ２２、消臭スプレー２３を使用できる。さらに、トイレ以外にも非常用品１７としては、飲料水１９、非常食２０、紙コップ２１、医薬品２４、紐２５、携帯酸素ボンベ２６、カーテン２７等を必要に応じて利用できるという効果がある。
【図面の簡単な説明】
【００１９】
【図１】この考案のエレベータ用椅子兼非常トイレを示し、（ａ）は椅子として使用する場合の斜視図、（ｂ）はトイレとして使用する場合の斜視図。
【図２】同じくエレベータ用椅子兼非常トイレを示し、（ａ）は椅子として使用する場合の縦断側面図、（ｂ）はトイレとして使用する場合の縦断正面図。
【図３】同じくエレベータ用椅子兼非常トイレをエレベータの乗りかごの内部に設置した状態の斜視図。
【符号の説明】
【００２０】
１１…椅子本体、１２…空間部、１３…天板、１３ａ…開口部、１４…蓋体、１７…非常用品
【図１】
0003126616.tif 000003
【図２】
0003126616.tif 000004
【図３】
0003126616.tif 000005